【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
ピクチャ内の少なくとも一つの大きなブロックにつき、イントラ予測が実行されることを決定することにより、前記少なくとも一つの大きなブロックのためのピクチャデータを復号化するステップを備える復号化方法であって、
前記少なくとも一つの大きなブロックは、基本的符号化単位サイズより大きい大きなブロックサイズを有し、
前記イントラ予測は、階層的なレイヤイントラ予測であり、前記少なくとも一つの大きなブロックにつき、
前記大きなブロックを基本的符号化単位サイズに至るまで階層的に分割するように、前記大きなブロックが４つの同一のサイズのサブブロックにさらに分割されるかどうかを規定する少なくとも一つのバイナリ分割信号伝達シンタックス要素を復号化するステップと、
少なくとも一つの基本的符号化単位サイズのブロックについて、複数の空間イントラ・パーティション・タイプから決定可能である、単一の空間イントラ・パーティション・タイプを復号化するステップと、
によって実行される、前記復号化方法。
【請求項２】
基本的符号化単位サイズのブロックを大きなサイズのブロックに結合するかどうかを規定する少なくとも一つのバイナリ結合信号伝達シンタックス要素を復号化するステップをさらに含む、請求項１に記載の方法。
【請求項３】
空間イントラ・パーティション・タイプテーブルおよびイントラ予測モードテーブルの少なくとも一つが事前に格納されビデオデコーダにより使用されて、前記少なくとも一つの大きなブロックを復号化する、請求項１に記載の方法。
【請求項４】
空間イントラ・パーティション・タイプテーブルおよびイントラ予測モードテーブルの少なくとも一つは、一つ以上のハイレベル・シンタックス要素を使用してビデオデコーダにより受信され、前記ビデオデコーダにより使用されて前記少なくとも一つの大きなブロックを復号化する、請求項１に記載の方法。
【請求項５】
ピクチャ内の少なくとも一つの大きなブロックにつき、イントラ予測が実行されることを決定することにより、前記少なくとも一つの大きなブロックのためのピクチャデータを符号化するステップを備える符号化方法であって、
前記少なくとも一つの大きなブロックは、基本的符号化単位サイズより大きい大きなブロックサイズを有し、
前記イントラ予測は、階層的なレイヤイントラ予測であり、前記少なくとも一つの大きなブロックにつき、
前記大きなブロックを基本的符号化単位サイズに至るまで階層的に分割するように、前記大きなブロックが４つの同一のサイズのサブブロックにさらに分割されるかどうかを規定する少なくとも一つのバイナリ分割信号伝達シンタックス要素を符号化するステップと、
少なくとも一つの基本的符号化単位サイズのブロックについて、複数の空間イントラ・パーティション・タイプから決定可能である、単一の空間イントラ・パーティション・タイプを符号化するステップと、によって実行される、前記符号化方法。
【請求項６】
基本的符号化単位サイズのブロックを大きなサイズのブロックに結合するかどうかを規定する少なくとも一つのバイナリ結合信号伝達シンタックス要素を符号化するステップをさらに含む、請求項５に記載の方法。
【請求項７】
空間イントラ・パーティション・タイプテーブルおよびイントラ予測モードテーブルの少なくとも一つが事前に格納されビデオエンコーダにより使用されて、前記少なくとも一つの大きなブロックを符号化する、請求項５に記載の方法。
【請求項８】
空間イントラ・パーティション・タイプテーブルおよびイントラ予測モードテーブルの少なくとも一つは、一つ以上のハイレベル・シンタックス要素を使用してビデオエンコーダにより符号化され、前記ビデオエンコーダにより使用されて前記少なくとも一つの大きなブロックを符号化する、請求項５に記載の方法。
【請求項９】
ピクチャ内の少なくとも一つの大きなブロックにつき、イントラ予測が実行されることを決定することにより、前記少なくとも一つの大きなブロックのためのピクチャデータを復号化する手段を備えるビデオデコーダであって、
前記少なくとも一つの大きなブロックは、基本的符号化単位サイズより大きい大きなブロックサイズを有し、
前記イントラ予測は、階層的なレイヤイントラ予測であり、前記少なくとも一つの大きなブロックにつき、
前記大きなブロックを基本的符号化単位サイズに至るまで階層的に分割するように、前記大きなブロックが４つの同一のサイズのサブブロックにさらに分割されるかどうかを規定する少なくとも一つのバイナリ分割信号伝達シンタックス要素を復号化し、
少なくとも一つの基本的符号化単位サイズのブロックについて、複数の空間イントラ・パーティション・タイプから決定可能である、単一の空間イントラ・パーティション・タイプを復号化するように構成された前記復号化する手段によって実行される、前記ビデオデコーダ。
【請求項１０】
前記復号化する手段は、基本的符号化単位サイズのブロックをより大きなサイズのブロックに結合するかどうかを規定する少なくとも一つのバイナリ結合信号伝達シンタックス要素を復号化するようにさらに構成された、請求項９に記載のビデオデコーダ。
【請求項１１】
空間イントラ・パーティション・タイプテーブルおよびイントラ予測モードテーブルの少なくとも一つが事前に格納され前記ビデオデコーダにより使用されて、前記少なくとも一つの大きなブロックを復号化する、請求項９に記載のビデオデコーダ。
【請求項１２】
空間イントラ・パーティション・タイプテーブルおよびイントラ予測モードテーブルの少なくとも一つは、一つ以上のハイレベル・シンタックス要素を使用して前記ビデオデコーダにより受信され、前記ビデオデコーダにより使用されて前記少なくとも一つの大きなブロックを復号化する、請求項９に記載のビデオデコーダ。
【請求項１３】
ピクチャ内の少なくとも一つの大きなブロックにつき、イントラ予測が実行されることを決定することにより、前記少なくとも一つの大きなブロックのためのピクチャデータを符号化する手段を備えるビデオエンコーダであって、
前記少なくとも一つの大きなブロックは、基本的符号化単位サイズより大きい大きなブロックサイズを有し、
前記イントラ予測は、階層的なレイヤイントラ予測であり、前記少なくとも一つの大きなブロックにつき、
前記大きなブロックを基本的符号化単位サイズに至るまで階層的に分割するように、前記大きなブロックが４つの同一のサイズのサブブロックにさらに分割されるかどうかを規定する少なくとも一つのバイナリ分割信号伝達シンタックス要素を符号化し、
少なくとも一つの基本的符号化単位サイズのブロックについて、複数の空間イントラ・パーティション・タイプから決定可能である、単一の空間イントラ・パーティション・タイプを符号化するように構成された前記符号化する手段によって実行される、前記ビデオエンコーダ。
【請求項１４】
前記符号化する手段は、基本的符号化単位サイズのブロックを大きなサイズのブロックに結合するかどうかを規定する少なくとも一つのバイナリ結合信号伝達シンタックス要素を符号化するようにさらに構成されている、請求項１３に記載のビデオエンコーダ。
【請求項１５】
空間イントラ・パーティション・タイプテーブルおよびイントラ予測モードテーブルの少なくとも一つが事前に格納され前記ビデオエンコーダにより使用されて、前記少なくとも一つの大きなブロックを符号化する、請求項１３に記載のビデオエンコーダ。
【請求項１６】
空間イントラ・パーティション・タイプテーブルおよびイントラ予測モードテーブルの少なくとも一つは、一つ以上のハイレベル・シンタックス要素を使用して前記ビデオエンコーダにより符号化され、前記ビデオエンコーダにより使用されて前記少なくとも一つの大きなブロックを符号化する、請求項１３に記載のビデオエンコーダ。
【請求項１７】
ビットストリームを格納した非一時的記憶媒体であって、
前記ビットストリームは、
ピクチャ内の少なくとも一つの大きなブロックにつき、イントラ予測が実行されることを決定することにより得られる、前記少なくとも一つの大きなブロックを表す符号化されたピクチャデータであって、前記少なくとも一つの大きなブロックは、基本的符号化単位サイズより大きい大きなブロックサイズを有する、前記符号化されたピクチャデータと、
前記大きなブロックが、前記大きなブロックサイズから基本的符号化単位サイズのブロックに、階層的なパーティションにさらに分割されるかどうかを規定する少なくとも一つのバイナリ分割信号伝達シンタックス要素と、
少なくとも一つの基本的符号化単位サイズのブロックについての、複数の空間イントラ・パーティション・タイプから決定可能である、単一の空間イントラ・パーティション・タイプと、を含む、前記非一時的記憶媒体。
【請求項１８】
前記ビットストリームは、基本的符号化単位サイズのブロックを大きなサイズのブロックに結合するかどうかを規定する少なくとも一つのバイナリ結合信号伝達シンタックス要素をさらに含む、請求項１７に記載の記憶媒体。
【請求項１９】
前記ビットストリームは、一つ以上のハイレベル・シンタックス要素に符号化された空間イントラ・パーティション・タイプテーブルおよびイントラ予測モードテーブルの少なくとも一つを表すデータをさらに含み、空間イントラ・パーティション・タイプテーブルおよびイントラ予測モードテーブルの少なくとも一つが前記少なくとも一つの大きなブロックを符号化するために使用される、請求項１７に記載の記憶媒体。